(57)【要約】【課題】遊技者による技術介入の余地のない弾球遊技機を提供する。【解決手段】始動手段による遊技球の検出を条件に遊技図柄を変動表示する遊技図柄表示手段と、遊技図柄が所定態様となることを条件に所定期間開放される開閉式入球口に入球した遊技球を特定領域側に案内する特定案内状態とそれ以外の通常案内状態とに切り換え可能で且つ特定案内状態に特定時間切り換える特定振り分け動作を一定周期で繰り返す振り分け可動手段とを備え、遊技図柄の変動パターンのうち所定態様に対応する所定変動パターンＰ０〜Ｐ９の数は、特定振り分け動作の周期に対する特定時間の割合の逆数に設定し、それら所定変動パターンＰ０〜Ｐ９を全て異なる変動時間に設定し、各変動時間は特定振り分け動作の周期を所定変動パターンの数で割った時間を公差とする等差数列をなすように並べられるように設定し、所定変動パターンを全て同じ確率で選択するように構成する。【選択図】図１１
2010167138.tif 000002
【特許請求の範囲】
【請求項１】
始動手段（１７）が遊技球を検出することを条件に複数の変動パターンの何れかに従って遊技図柄を変動表示する遊技図柄表示手段（２５）と、該遊技図柄表示手段（２５）による前記遊技図柄の変動後の停止図柄が所定態様となることを条件に所定期間開放される開閉式入球口（３５）と、該開閉式入球口（３５）に入球した遊技球を特定領域（３８）側に案内する特定案内状態とそれ以外の通常案内状態とに切り換え可能な振り分け可動手段（４０）と、遊技球が前記特定領域（３８）に流入することを条件に遊技者に有利な利益状態を発生させる利益状態発生手段（８７）とを備え、前記振り分け可動手段（４０）は、前記通常案内状態から前記特定案内状態に特定時間だけ切り換える特定振り分け動作を常時一定の周期で繰り返すように制御される弾球遊技機において、前記変動パターンのうち、前記所定態様に対応する所定変動パターンの数は、前記特定振り分け動作の周期に対する前記特定時間の割合の逆数又はその倍数に設定され、それら所定変動パターンは全て異なる変動時間に設定されると共にそれら各変動時間は前記特定振り分け動作の周期を前記所定変動パターンの数で割った時間を公差とする等差数列をなすように並べることができ、前記所定変動パターンは全て同じ確率で選択されるように構成されていることを特徴とする弾球遊技機。
【請求項２】
前記開閉式入球口（３５）に入球した遊技球を一旦停留させた後で停留解除動作を行う停留手段（３７）を備え、該停留手段（３７）は、前記遊技図柄が前記所定態様となって前記開閉式入球口（３５）が開放されてから一定時間経過後であって前記開閉式入球口（３５）が閉じた後に前記停留解除動作を行うように制御され、前記振り分け可動手段（４０）は、前記停留解除動作によって停留が解除された遊技球を振り分けるように構成されていることを特徴とする請求項１に記載の弾球遊技機。
【請求項３】
前記停留手段（３７）は、前記開閉式入球口（３５）に入球した遊技球を１個のみ停留させることが可能に構成されていることを特徴とする請求項２に記載の弾球遊技機。
【発明の詳細な説明】
【技術分野】
【０００１】
本発明は、パチンコ機、アレンジボール機等の弾球遊技機に関するものである。
【背景技術】
【０００２】
例えば特許文献１に記載の弾球遊技機では、始動手段が遊技球を検出することを条件に複数の変動パターンの何れかに従って遊技図柄を変動表示する遊技図柄表示手段と、この遊技図柄表示手段による遊技図柄の変動後の停止図柄が所定態様となることを条件に所定期間開放される開閉式入球口と、この開閉式入球口に入球した遊技球を特定領域と通常領域とに振り分ける振り分け可動手段とを備え、遊技球が特定領域側に振り分けられることを条件に遊技者に有利な利益状態を発生させるように構成されている。
【先行技術文献】
【特許文献】
【０００３】
【特許文献１】特開２００６−０９５０５８号公報
【発明の概要】
【発明が解決しようとする課題】
【０００４】
この種の弾球遊技機の場合、変動パターンの数、変動パターン毎の変動時間の設定、各変動パターンの選択率の偏り、その他の種々の要因により、始動手段が遊技球を検出するタイミングに応じて、開閉式入球口に入球した遊技球が特定領域側に振り分けられる確率（特定領域振分率）が変化するのが通常である。
【０００５】
しかしながら、このように始動手段が遊技球を検出するタイミングに応じて特定領域振分率、即ち遊技者にとっての有利／不利が変化する場合には、遊技者による技術介入の可能性を否定できない。
【０００６】
本発明は上記事情に鑑みてなされたものであり、始動手段が遊技球を検出するタイミングに応じた特定領域振分率の変化を抑制することにより遊技者による技術介入の余地のない弾球遊技機を提供することを目的とする。
【課題を解決するための手段】
【０００７】
本発明は、始動手段１７が遊技球を検出することを条件に複数の変動パターンの何れかに従って遊技図柄を変動表示する遊技図柄表示手段２５と、該遊技図柄表示手段２５による前記遊技図柄の変動後の停止図柄が所定態様となることを条件に所定期間開放される開閉式入球口３５と、該開閉式入球口３５に入球した遊技球を特定領域３８側に案内する特定案内状態とそれ以外の通常案内状態とに切り換え可能な振り分け可動手段４０と、遊技球が前記特定領域３８に流入することを条件に遊技者に有利な利益状態を発生させる利益状態発生手段８７とを備え、前記振り分け可動手段４０は、前記通常案内状態から前記特定案内状態に特定時間だけ切り換える特定振り分け動作を常時一定の周期で繰り返すように制御される弾球遊技機において、前記変動パターンのうち、前記所定態様に対応する所定変動パターンの数は、前記特定振り分け動作の周期に対する前記特定時間の割合の逆数又はその倍数に設定され、それら所定変動パターンは全て異なる変動時間に設定されると共にそれら各変動時間は前記特定振り分け動作の周期を前記所定変動パターンの数で割った時間を公差とする等差数列をなすように並べることができ、前記所定変動パターンは全て同じ確率で選択されるように構成されているものである。
【発明の効果】
【０００８】
本発明によれば、始動手段が遊技球を検出するタイミングに応じた特定領域振分率の変化を抑制することにより遊技者による技術介入の余地を排除することが可能である。
【図面の簡単な説明】
【０００９】
【図１】本発明の一実施形態におけるパチンコ機の全体斜視図である。
【図２】遊技盤の正面図である。
【図３】振り分け入賞手段の左右方向中央における側面断面図である。
【図４】図３におけるＡ矢視断面図である。
【図５】図３におけるＢ矢視断面図である。
【図６】図３におけるＣ矢視断面図である。
【図７】停留手段が停留位置にあるときの振り分け入賞手段の断面斜視図である。
【図８】停留手段が停留解除位置にあるときの振り分け入賞手段の断面斜視図である。
【図９】制御系のブロック図である。
【図１０】振り分け動作カウンタのカウント動作と振り分け可動手段、特別図柄始動手段、特別図柄表示手段、開閉式入賞口、停留手段等の動作との対応関係の一例を示すタイムチャートである。
【図１１】小当たり変動パターンの種類とその変動時間の一例を示す図である。
【図１２】特別図柄始動手段が遊技球を検出した時点のタイマ値と遊技球が特定通路側に振り分けられることとなる小当たり変動パターンとの対応関係を示す図である。
【発明を実施するための形態】
【００１０】
以下、本発明の実施形態を図面に基づいて詳述する。図１〜図１２は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１１】
前面板５には、その前側に、発射手段（図示省略）に供給するための遊技球を貯留する貯留皿６、発射手段を作動させるための発射ハンドル７等が設けられている。
【００１２】
ガラス扉４の裏側には、図２に示す遊技盤１１が着脱自在に装着されている。遊技盤１１の前面側には、発射手段から発射された遊技球を案内するガイドレール１２が環状に装着されると共に、そのガイドレール１２の内側の遊技領域１３内には、例えばその略中央に振り分け入賞手段１４が、その周囲に普通図柄始動手段１５、普通図柄表示手段２４、普通図柄用演出図柄表示手段１６、特別図柄始動手段（始動手段）１７、特別図柄表示手段（遊技図柄表示手段）２５、大入賞手段１８、普通入賞手段１９、アウト口２０等が配置されている。振り分け入賞手段１４上には、例えば振り分け結果用演出図柄表示手段２１が設けられている。
【００１３】
普通図柄始動手段１５は、普通図柄表示手段２４による図柄変動を開始させるためのもので、遊技球が通過可能な通過ゲート等により構成されており、例えば振り分け入賞手段１４の左側に配置されている。
【００１４】
普通図柄表示手段２４は、普通図柄を変動表示するためのもので、７セグメント式等の表示手段により構成され、なるべく目立たないように例えば遊技領域１３内の周辺部に小さく設けられており、普通図柄始動手段１５が遊技球を検出することを条件に普通図柄を所定時間変動表示して、普通図柄始動手段１５による遊技球検出時に取得された当たり判定乱数値が予め定められた当たり判定値と一致する場合には所定の当たり態様で、一致しない場合には所定の外れ態様で停止させるようになっている。
【００１５】
また、例えば普通図柄表示手段２４の変動表示中に普通図柄始動手段１５が遊技球を検出した場合には、その検出時に取得された当たり判定乱数値が予め定められた上限保留個数、例えば４個を限度として記憶され、その後に普通図柄表示手段２４が変動可能となる毎に順次消化されるようになっている。なお、普通図柄には、遊技者がその種類を容易に区別できないように任意の線や点の組み合わせのような特別な意味を持たない図柄を割り当てることが望ましい。
【００１６】
普通図柄用演出図柄表示手段１６は、普通図柄表示手段２４による普通図柄の変動を演出するもので、普通図柄表示手段２４よりも目立つように例えば振り分け入賞手段１４の上側に大きく設けられている。普通図柄用演出図柄表示手段１６は、１個又は複数個、例えば３個の数字図柄等よりなる普通図柄用演出図柄を変動表示可能に構成されており、ある時は普通図柄表示手段２４による普通図柄の変動と時間的に同期して普通図柄用演出図柄を変動させ、またある時は普通図柄の変動と同期することなく普通図柄用演出図柄を独自に変動させ又はその他の演出画像を表示させるように構成されている。
【００１７】
普通図柄用演出図柄には、例えば「０」〜「９」の１０種類の数字図柄が用いられ、  「６・６・６」「７・７・７」等、３つの図柄が全て同じ図柄で揃ったものが当たり態様、少なくとも１つの図柄が異なるものが外れ態様となっており、例えば普通図柄の変動と時間的に同期して変動表示される場合には、普通図柄が当たり態様で停止する場合は当たり態様で、普通図柄が外れ態様で停止する場合は外れ態様で、夫々停止するようになっている。
【００１８】
なお、普通図柄表示手段２４による普通図柄の変動は後述する大当たり状態中も行われるが、普通図柄用演出図柄表示手段１６は大当たり状態中には所定の大当たり演出を行うようになっている。
【００１９】
特別図柄始動手段１７は、特別図柄表示手段２５による図柄変動を開始させるためのもので、開閉手段２３により遊技球が入賞可能な開状態と入賞不可能な閉状態とに切り換え可能な作動式入賞手段により構成されており、例えば振り分け入賞手段１４の下側に配置されている。この特別図柄始動手段１７は、普通図柄表示手段２４による普通図柄の変動後の停止図柄が当たり態様となって普通利益状態が発生したときに、開閉手段２３が所定時間、所定回数だけ閉状態から開状態に変化して、開状態のときに入賞した遊技球を検出するように構成されている。
【００２０】
特別図柄表示手段２５は、特別図柄を変動表示するためのもので、７セグメント式等の表示手段により構成され、なるべく目立たないように例えば遊技領域１３内の周辺部に小さく設けられており、特別図柄始動手段１７が遊技球を検出することを条件に特別図柄を所定時間変動表示して、特別図柄始動手段１７による遊技球検出時に取得された大当たり判定乱数値が予め定められた大当たり判定値と一致する場合には例えば大当たり態様に対応する「７」等の図柄で、それ以外の場合には小当たり態様に対応する図柄で夫々停止するようになっている。
【００２１】
なお、本実施形態では特別図柄表示手段２５については普通図柄表示手段２４のような保留機能、即ち例えば特別図柄表示手段２５の変動表示中に特別図柄始動手段１７に遊技球が入賞した場合にその入賞時に取得された大当たり判定乱数値等を夫々所定の上限保留個数を限度として記憶する機能を設けていないが、特別図柄表示手段２５についても保留機能を設けてもよい。
【００２２】
振り分け入賞手段１４は、図３〜図８に示すように、遊技盤１１の前面に沿って配置され且つねじ止め等により遊技盤１１に固定される前面装着板３１と、この前面装着板３１の前側に突出状に設けられる前構造体３２と、前面装着板３１の裏側に突出状に設けられ且つ装着孔１１ａに前側から嵌合する後構造体３３とで構成され、前構造体３２側に設けられ且つ開閉羽根３４により遊技球が入賞可能な開状態と入賞不可能な閉状態とに切り換え可能な開閉式入賞口（開閉式入球口）３５と、例えば後構造体３３側に設けられ且つ開閉式入賞口３５に入賞した遊技球を所定の停留位置３６で一旦停留させた後で停留解除動作を行う停留手段３７と、例えば後構造体３３側に設けられ且つ停留手段３７による停留が解除された後の遊技球を特定通路（特定領域）３８側に案内する特定案内状態と通常通路（通常領域）３９側に案内する通常案内状態とに切り換え可能な振り分け可動手段４０とを備えている。
【００２３】
前構造体３２は、前面装着板３１の上部側に設けられ且つ例えば振り分け結果用演出図柄表示手段２１等が配置された庇部３２ａと、前面装着板３１の下部側に設けられる前部通路ケース３２ｂとで構成されており、それら庇部３２ａと前部通路ケース３２ｂとの間に入賞室４１が設けられ、その入賞室４１の内外を連通させるように左右一対の開閉式入賞口３５が形成されている。
【００２４】
開閉式入賞口３５は、前後方向の軸廻りに揺動可能な開閉羽根３４によって通常は閉状態（図４に一点鎖線で示す）に保たれており、特別図柄表示手段２５による特別図柄の変動後の停止図柄が小当たり態様（所定態様）となって小当たり状態が発生したとき、電磁ソレノイド等の開閉駆動手段４２が作動することにより開閉羽根３４が外向きに揺動して所定時間開状態（図４に実線で示す）となり、その上に落下した遊技球を入賞室４１側に案内するようになっている。
【００２５】
前部通路ケース３２ｂには、図３及び図４に示すように、左右の開閉式入賞口３５の内側近傍に配置され且つ開閉式入賞口３５に入賞した遊技球を検出する左右一対の入賞検出スイッチ４３と、その入賞検出スイッチ４３の下流側から左右方向中央の合流案内部４４まで遊技球を案内する左右一対の合流通路４５とが設けられており、開閉式入賞口３５に入賞した遊技球は、図３，図４に矢印で示すように左右の入賞検出スイッチ４３の何れかを通過した後、合流通路４５を経て合流案内部４４まで流下するようになっている。合流案内部４４は後ろ向き傾斜状に形成されており、合流通路４５側から流入した遊技球を後ろ向きに案内するようになっている。
【００２６】
後構造体３３は、図３に示すように、前面装着板３１の裏側に沿って遊技盤１１の板厚範囲内に配置される一層目の後部第１通路ケース４６と、遊技盤１１の背面側に沿ってその後側に配置される二層目の後部第２通路ケース４７と、その後部第２通路ケース４７の後側に設けられ且つ開閉駆動手段４２等が配置される駆動ケース４８とで構成されている。
【００２７】
後部第１通路ケース４６には、図３，図５，図７等に示すように、その上部側の左右方向中央に停留部５１が、その停留部５１の左右両側に余剰球案内部５２が設けられている。停留部５１は、合流案内部４４の後側に対応してそれよりも低い位置に設けられ、合流案内部４４により後ろ向きに案内された遊技球はこの停留部５１上に落下するようになっている。また、この停留部５１上には、上向き突出状の突条５３が前後方向に配置されており、この突条５３上が、停留手段３７により遊技球が一時停留される停留位置３６となっている。
【００２８】
停留手段３７は、その前端側に停留保持部５４が設けられた停留可動部材５５と、この停留可動部材５５を前後方向にスライド移動させる電磁ソレノイド等よりなる停留駆動手段５６とを備えており、例えば停留駆動手段５６が作動することにより停留可動部材５５が図３，図７等に示す前位置にあるとき、停留保持部５４が停留部５１上に位置するようになっている。なお、停留駆動手段５６は例えば駆動ケース４８上に配置されている。
【００２９】
停留保持部５４は、左右一対の側壁５４ａと、それら左右の側壁５４ａの前端側及び後端側を夫々左右に接続する前壁５４ｂ及び後壁５４ｃとで構成され、その内側に遊技球１個分の貫通孔５７が上下方向に形成されており、例えば停留駆動手段５６が作動して停留保持部５４が停留部５１上の停留位置３６にあるとき（図７参照）、貫通孔５７の下側が突条５３により遊技球通過不能に閉鎖され、その上側に落下してきた遊技球はその停留保持部５４内に保持されて停留位置３６に停留するようになっている。
【００３０】
なお、停留保持部５４により１個の遊技球が保持されている状態で更に後続の遊技球が流下してきた場合には、その遊技球は停留保持部５４に保持されることなく左右の余剰球案内部５２側に流下し、更にその後ろ側の余剰球通路５８を経て遊技盤１１の後側に案内されるようになっている。即ち、停留手段３７は開閉式入賞口３５に入賞した遊技球を１個のみ停留させることが可能に構成されている。
【００３１】
後部第２通路ケース４７には、図３，図６，図８等に示すように、上下方向の停留球流下口６１と、この停留球流下口６１の下側に配置される上下方向の特定通路流入口６２と、この特定通路流入口６２の下側に配置される上下方向の特定通路３８と、停留球流下口６１と特定通路流入口６２との間から例えば左右方向の一方側に向けて配置される通常通路３９と、例えば停留球流下口６１の左右両側に外向きに配置される余剰球通路５８とが設けられている。
【００３２】
停留球流下口６１は、停留部５１の後側に上向き開口状に設けられており、例えば停留駆動手段５６が作動していないことにより停留手段３７の停留可動部材５５が図８に示す後位置に保持されているとき、停留保持部５４がこの停留球流下口６１上に位置するようになっている。停留保持部５４に１個の遊技球が停留している状態（図７）で例えば停留駆動手段５６の作動が停止されることにより停留可動部材５５が後ろ向きに移動し、停留保持部５４がその遊技球と共に停留球流下口６１上の停留解除位置に到達すると（図８）、停留保持部５４の貫通孔５７は突条５３による閉鎖状態から開放され、停留保持部５４内に保持されていた遊技球はその貫通孔５７を下向きに通過して停留球流下口６１内に流下する。
【００３３】
停留球流下口６１の下側には少なくとも遊技球１個分の分岐部６４が設けられ、その分岐部６４の下側に特定通路流入口６２を経て特定通路３８が、左右方向一方側に通常通路３９が夫々連通しており、特定通路流入口６２は振り分け可動手段４０により開閉可能となっている。
【００３４】
振り分け可動手段４０は、振り分け可動部材６５と、この振り分け可動部材６５を、特定通路流入口６２を閉鎖する特定通路閉鎖位置（図３に実線で、図８に二点鎖線で示す）と、その後側に待避して特定通路流入口６２を開放する特定通路開放位置との間で前後方向にスライド移動させる電磁ソレノイド等よりなる振り分け駆動手段６６とを備えている。なお、振り分け駆動手段６６は例えば駆動ケース４８上に配置されている。
【００３５】
振り分け可動部材６５は、その上面側が遊技球を例えば左右方向の一方側に案内する傾斜状に形成されており、例えば振り分け駆動手段６６が作動することにより振り分け可動部材６５が後側の特定通路開放位置にあるとき、停留球流下口６１側から流下してきた遊技球は、図８に実線矢印で示すように特定通路流入口６２を介して特定通路３８側に案内され（特定案内状態）、例えば振り分け駆動手段６６の作動が停止されて振り分け可動部材６５が前側の特定通路閉鎖位置にあるとき、停留球流下口６１側から流下してきた遊技球は、図８に一点鎖線矢印で示すように通常通路３９側に案内される（通常案内状態）ようになっている。
【００３６】
特定通路３８側、通常通路３９側に案内された遊技球は共に下流端側の特定通路排出口３８ａ、通常通路排出口３９ａから遊技盤１１の裏側に向けて排出されるが、特定通路３８側に案内された遊技球については、その特定通路３８を通過する際に特定領域検出スイッチ６７によって検出される。
【００３７】
なお、特定通路３８の前側には、特定通路流入口６２及び特定領域検出スイッチ６７を経由することなく分岐部６４と特定通路排出口３８ａとを接続するバイパス通路６８が設けられており、例えば特定通路流入口６２が開放するまで遊技球を分岐部６４で不正に停留させるべく、振り分け入賞手段１４の前側に磁石が置かれたような場合には、遊技球はその磁石に引かれて前側のバイパス通路６８側に案内されるようになっている。
【００３８】
振り分け結果用演出図柄表示手段２１は、振り分け可動手段４０による遊技球の振り分け動作を演出するもので、７セグメント式等の表示手段により例えば１個の振り分け結果用演出図柄を変動表示可能に構成されている。この振り分け結果用演出図柄表示手段２１は、通常は開閉式入賞口３５に遊技球が入賞することを条件に振り分け結果用演出図柄の変動を開始し、その遊技球が振り分け可動手段４０により特定通路３８側に振り分けられた場合に「７」等の特定図柄で、それ以外の場合に「−」等の非特定図柄で停止するように構成されている。
【００３９】
大入賞手段１８は、遊技球が入賞可能な開状態と入賞不可能な閉状態とに切り換え可能な開閉板６９を備えた作動式入賞手段により構成され、例えば振り分け入賞手段１４の右側に配置されている。この大入賞手段１８は、特別図柄表示手段２５による特別図柄の変動後の停止図柄が大当たり態様となるか、又は振り分け入賞手段１４の開閉式入賞口３５に入賞した遊技球が特定通路３８側に振り分けられることにより大当たり状態が発生したときに、開閉板６９が所定の開放パターンに従って前側に開放して、その上に落下した遊技球を内部へと入賞させるようになっている。
【００４０】
なお、遊技領域１３の下部側には多数の入球口が横一列に配列されており、それらのうちの１又は複数個が普通入賞手段１９で、それ以外は全てアウト口２０となっている。
【００４１】
図９は本パチンコ機の制御系のブロック図である。図９に示す遊技制御基板７０は、主に遊技盤１１側の遊技動作に関わる制御を行うためのもので、ＣＰＵ，ＲＯＭ，ＲＡＭ等により構成される普通乱数作成処理手段７１、普通始動口チェック処理手段７２、普通乱数記憶手段７３、普通図柄処理手段７４、普通図柄表示制御手段７５、普通利益状態発生手段７６、特別乱数作成処理手段８１、特別始動口チェック処理手段８２、特別乱数記憶手段８３、特別図柄処理手段８４、特別図柄表示制御手段８５、振り分け入賞制御手段８６、大当たり状態発生手段８７等を備えている。
【００４２】
普通乱数作成処理手段７１は、変動後の普通図柄を当たり態様とするか否かの判定に用いる当たり判定乱数等を所定時間毎に繰り返し発生するように構成されている。普通始動口チェック処理手段７２は、普通図柄始動手段１５による遊技球の検出に基づく処理を行うもので、普通図柄始動手段１５が遊技球を検出することに基づいて、普通乱数作成処理手段７１で作成された当たり判定乱数値を１個取得し、その当たり判定乱数値を予め定められた上限保留個数（例えば４個）を限度として普通乱数記憶手段７３に記憶させるように構成されている。
【００４３】
普通図柄処理手段７４は、普通図柄の変動表示に関する処理を行うもので、普通図柄表示手段２４が変動表示可能な状態となり且つ普通乱数記憶手段７３に１個以上の当たり判定乱数値が記憶されていること（普通保留個数が１以上であること）を条件に、普通乱数記憶手段７３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００４４】
普通図柄表示制御手段７５は、普通図柄処理手段７４による普通図柄処理に基づいて普通図柄表示手段２４の表示制御を行うもので、普通図柄表示手段２４が変動表示可能な状態となり且つ普通乱数記憶手段７３に１個以上の当たり判定乱数値が記憶されていること（普通保留個数が１以上であること）を条件に普通図柄表示手段２４による普通図柄の変動を開始させ、普通図柄処理手段７４で選択された変動時間が経過することに基づいて、同じく普通図柄処理手段７４で選択された停止図柄で普通図柄の変動を停止させるようになっている。
【００４５】
普通利益状態発生手段７６は、普通図柄処理手段７４による判定結果が当たり判定となり、普通図柄表示手段２４の変動後の停止図柄が当たり態様となったときに、特別図柄始動手段１７の開閉手段２３を所定時間開状態に変化させるようになっている。
【００４６】
特別乱数作成処理手段８１は、変動後の特別図柄を大当たり態様、小当たり態様の何れにするかについての判定に用いる大当たり判定乱数、特別図柄の変動後の停止図柄の選択に用いる特別停止図柄選択乱数、特別図柄の変動パターンの選択に用いる変動パターン選択乱数、その他の所定の乱数を繰り返し発生する特別乱数作成処理を行うように構成されている。
【００４７】
特別始動口チェック処理手段８２は、特別図柄始動手段１７への遊技球の入賞に基づく処理を行うもので、特別図柄始動手段１７が遊技球を検出することに基づいて、特別乱数作成処理手段８１で作成された大当たり判定乱数値等を取得し、予め定められた上限保留個数（例えば各４個）を限度として特別乱数記憶手段８３に記憶させるように構成されている。
【００４８】
特別図柄処理手段８４は、特別図柄の変動表示に関する処理を行うもので、大当たり判定手段９１、特別停止図柄選択手段９２、変動パターン選択手段９３等を備えている。大当たり判定手段９１は、乱数抽選により変動後の特別図柄を大当たり態様、小当たり態様（所定態様）の何れにするかについての判定を行うもので、特別図柄表示手段２５が変動表示可能な状態となり且つ特別乱数記憶手段８３に１個以上の大当たり判定乱数値が記憶されていること（特別保留個数が１以上であること）を条件に、特別乱数記憶手段８３に最も早く記憶された大当たり判定乱数値を取り出し、その大当たり判定乱数値が予め定められた大当たり判定値と一致するか否かに応じて大当たり／小当たりの判定を行うように構成されている。
【００４９】
特別停止図柄選択手段９２は、特別図柄の変動後の停止図柄を選択するもので、大当たり判定手段９１による大当たり／小当たりの判定結果と、特別乱数作成処理手段８１より取得した特別停止図柄選択乱数とに基づいて、大当たり判定の場合には１又は複数の大当たり態様の何れかを、小当たり判定の場合には１又は複数の小当たり態様（所定態様）の何れかを選択するように構成されている。
【００５０】
変動パターン選択手段９３は、特別図柄の変動パターンを選択するもので、大当たり判定手段９１による大当たり／小当たりの判定結果と、特別乱数作成処理手段８１より取得した変動パターン選択乱数とに基づいて、大当たり判定の場合には複数種類の大当たり変動パターンの何れかを、小当たり判定の場合には複数種類の小当たり変動パターン（所定変動パターン）の何れかを夫々選択するように構成されている。なお、本実施形態で使用する小当たり変動パターンの詳細については後述する。
【００５１】
特別図柄表示制御手段８５は、特別図柄表示手段２５の表示制御を行うもので、特別図柄処理手段８４による特別図柄処理に基づいて特別図柄表示手段２５による特別図柄の変動を開始させ、変動パターン選択手段９３で選択された変動パターンに対応する変動時間が経過することに基づいて、特別停止図柄選択手段９２で選択された停止図柄で特別図柄の変動を停止させるようになっている。
【００５２】
振り分け入賞制御手段８６は、振り分け入賞手段１４の動作を制御するもので、開閉制御手段９４、停留制御手段９５、振り分け制御手段９６、演出制御手段９７等を備えている。開閉制御手段９４は、開閉羽根３４を駆動する開閉駆動手段４２を制御するもので、大当たり判定手段９１による判定結果が小当たり判定となり、特別図柄表示手段２５による特別図柄の変動後の停止図柄が小当たり態様（所定態様）となったときに、開閉駆動手段４２を所定時間作動させることにより、閉状態に保持されていた開閉羽根３４を一定時間開状態に切り換えて開閉式入賞口３５を開放するようになっている。
【００５３】
停留制御手段９５は、停留可動部材５５を駆動する停留駆動手段５６を制御するもので、例えば開閉式入賞口３５の開放と略同時に停留駆動手段５６を作動させることにより、停留可動部材５５の停留保持部５４を停留球流下口６１上の停留解除位置からその前側の停留部５１上の停留位置３６まで移動させて保持し（図７）、それから一定時間経過後に停留駆動手段５６の作動を停止することにより、停留可動部材５５の停留保持部５４を停留部５１上からその後側の停留球流下口６１上の停留解除位置まで移動させる（停留解除動作）（図８）ようになっている。
【００５４】
以上のような開閉制御手段９４及び停留制御手段９５の構成によれば、図１０に示すように、特別図柄始動手段１７による遊技球の検出から停留解除動作までの時間のうち、特別図柄表示手段２５による特別図柄の変動時間以外は常に一定である。即ち、特別図柄始動手段１７による遊技球の検出から停留解除動作までの時間は、変動パターン選択手段９３によって選択される小当たり変動パターンの変動時間に依存しており、小当たり変動パターンの変動時間が変化すればその分だけ特別図柄始動手段１７による遊技球の検出から停留解除動作までの時間も長くなる。
【００５５】
振り分け制御手段９６は、振り分け可動部材６５を駆動する振り分け駆動手段６６を制御するもので、通常通路３９側に遊技球を案内する通常案内状態から特定通路３８側に遊技球を案内する特定案内状態に一定時間（以下、特定時間という）切り換える特定振り分け動作が常時一定の周期で繰り返されるように、例えば電源投入以降、一定の周期で振り分け駆動手段６６を作動させるように構成されている。
【００５６】
本実施形態では、図１０に示すように、特定振り分け動作の周期が１０秒、特定時間が１秒に設定されている。これにより、停留可動部材５５の停留解除動作によって流下してきた遊技球は平均１／１０の確率（特定領域振分率）で特定通路３８側に振り分けられる。しかしながら、上述したように、特別図柄始動手段１７による遊技球の検出から停留解除動作までの時間は、変動パターン選択手段９３によって選択される小当たり変動パターンの変動時間に依存しているため、小当たり変動パターンの数やそれらの変動時間、選択率等の設定によっては特定領域振分率は常に変動し、ムラが生じてしまう。
【００５７】
そこで本実施形態では、変動パターン選択手段９３による選択対象である小当たり変動パターン（所定変動パターン）の数が、特定振り分け動作の周期（ここでは１０秒）に対する特定時間（ここでは１秒）の割合（ここでは１／１０）の逆数（ここでは１０）に設定されており、全て同じ確率で選択されるようになっている。即ち、図１１に示すようにＰ０〜Ｐ９の１０種類の小当たり変動パターンが設けられており、大当たり判定手段９１の判定結果が小当たり判定の場合に、変動パターン選択手段９３によりそれら１０種類の小当たり変動パターンＰ０〜Ｐ９が夫々１／１０の確率で選択されるようになっている。
【００５８】
また、それら小当たり変動パターンは全て異なる変動時間に設定されると共に、それら各変動時間は特定振り分け動作の周期（ここでは１０秒）を小当たり変動パターンの数  （ここでは１０個）で割った時間（ここでは１秒）を公差とする等差数列をなすように並べることができるようになっている。本実施形態の小当たり変動パターンＰ０〜Ｐ９の変動時間は夫々１１，１０，…，３，２秒に設定されており、Ｐ９〜Ｐ０の順番に並べ替えると公差１の等差数列となる。
【００５９】
小当たり変動パターンの数、各変動時間及び選択率が以上のように設定されていることにより、以下に示すように特定領域振分率はムラなく常に一定となる。即ち、図１０に示すように、振り分け可動手段４０の周期に対応して、例えば特定振り分け動作の終了時毎に０にリセットされるタイマを想定し、停留解除動作の１秒後に振り分け可動手段４０による振り分けが行われるものとすると、図１０の場合、停留解除動作の１秒後に特定振り分け動作が開始されているため、停留解除された遊技球は特定通路３８側に振り分けられる。なお、特定振り分け動作は１秒間継続するため、この図１０の状態よりも停留解除動作が１秒遅れとなるまでは同様に停留解除された遊技球は特定通路３８側に振り分けられる。
【００６０】
ここで、図１０では変動時間１１秒の小当たり変動パターンＰ０が選択され、特別図柄始動手段１７による遊技球検出時のタイマ値は０秒となっているから、タイマ値が０〜１秒の間に特別図柄始動手段１７に遊技球が入賞した場合には、変動時間１１秒の小当たり変動パターンＰ０が選択されれば、開閉式入賞口３５に入賞した遊技球は特定通路３８側へ振り分けられるが、その他の小当たり変動パターンＰ１〜Ｐ９が選択された場合には通常通路３９側に振り分けられることとなる。
【００６１】
同様に、タイマ値が１〜２秒の間に特別図柄始動手段１７に遊技球が入賞した場合には、変動時間１０秒の小当たり変動パターンＰ１が選択されれば、開閉式入賞口３５に入賞した遊技球は特定通路３８側へ振り分けられるが、その他の小当たり変動パターンＰ０，Ｐ２〜Ｐ９が選択された場合には通常通路３９側に振り分けられる。特別図柄始動手段１７に遊技球が入賞した時点でのタイマの値と、その場合に開閉式入賞口３５に入賞した遊技球が特定通路３８側へ振り分けられることとなる小当たり変動パターンＰ０〜Ｐ９との対応関係は図１２に示すようになる。
【００６２】
このように、本実施形態の場合には、振り分け可動手段４０の周期（１０秒）におけるどの時点で特別図柄始動手段１７に遊技球が入賞した場合であっても、常に複数（１０個）の小当たり変動パターンＰ０〜Ｐ９のうちの特定の１つが選択されれば必ず遊技球が特定通路３８側へ振り分けられ、しかもそれら１０種類の小当たり変動パターンＰ０〜Ｐ９は全て同じ確率で選択されるため、特定領域振分率は常に一定（１／１０）となる。
【００６３】
これに対し、仮に小当たり変動パターンがＰ０〜Ｐ９を含む１２種類であったとすると、特定領域振分率は、その平均こそ１／１０で変わらないものの、特別図柄始動手段１７による遊技球の検出が振り分け可動手段４０の周期（１０秒）におけるどの時点であるかによって例えば１／１２と１／６との間で変動する。また、仮に小当たり変動パターンがＰ０〜Ｐ７の８種類であったとすると、この場合も特定領域振分率はその平均こそ１／１０で変わらないものの、特別図柄始動手段１７による遊技球の検出が振り分け可動手段４０の周期（１０秒）におけるどの時点であるかによって例えば０と１／８との間で変動する。
【００６４】
演出制御手段９７は、振り分け結果用演出図柄表示手段２１の図柄変動制御を行うもので、開閉式入賞口３５に遊技球が入賞することを条件に振り分け結果用演出図柄表示手段２１による振り分け結果用演出図柄の変動を開始させ、その遊技球が振り分け可動手段４０により特定通路３８側に振り分けられた場合に「７」等の特定図柄で、それ以外の場合に「−」等の非特定図柄で停止させるようになっている。
【００６５】
大当たり状態発生手段（利益状態発生手段）８７は、大当たり判定手段９１による判定結果が大当たり判定となって特別図柄が大当たり態様で停止するか、又は振り分け入賞手段１４の開閉式入賞口３５に入賞した遊技球が特定通路３８側に振り分けられて特定領域検出スイッチ６７がその遊技球を検出したときに、開閉板６９が所定の開放パターンに従って前側に開放する大当たり状態を発生させるように構成されている。なお本実施形態では、不正行為による大当たり発生を防止すべく、図１０に示すように停留解除動作の前後一定期間に限って特定領域検出スイッチ６７による検出を有効化するように構成されている。
【００６６】
以上説明したように、本実施形態のパチンコ機では、小当たり変動パターン（所定変動パターン）の数は、特定振り分け動作の周期に対する特定時間の割合の逆数に設定され、それら小当たり変動パターンは全て異なる変動時間に設定されると共にそれら各変動時間は特定振り分け動作の周期を小当たり変動パターンの数で割った時間を公差とする等差数列をなすように並べることができ、小当たり変動パターンは全て同じ確率で選択されるように構成されているため、特別図柄始動手段１７が遊技球を検出するタイミングに応じた特定領域振分率の変化が抑制されて常に一定となり、遊技者による技術介入の余地を排除することができる。
【００６７】
また、開閉式入賞口３５に入賞した遊技球を一旦停留させた後で停留解除動作を行う停留手段３７を備え、この停留手段３７は、特別図柄が小当たり態様（所定態様）となって開閉式入賞口３５が開放されてから一定時間経過後であって開閉式入球口３５が閉じた後に停留解除動作を行うように制御され、しかも開閉式入賞口３５に入賞した遊技球を１個のみ停留させることが可能に構成されており、振り分け可動手段４０は、停留解除動作によって停留が解除された遊技球を振り分けるように構成されているため、開閉式入賞口３５への遊技球の入賞タイミングに拘わらず、特別図柄始動手段１７による遊技球の検出後、開閉式入賞口３５に入賞した遊技球が振り分け可動手段４０によって振り分けられるまでの時間を略一定にでき、遊技者による技術介入の余地を完全に排除することができる。
【００６８】
以上、本発明の実施形態について詳述したが、本発明はこれらの実施形態に限定されるものではなく、本発明の趣旨を逸脱しない範囲で種々の変更が可能である。例えば、実施形態では、小当たり変動パターン（所定変動パターン）の数を、特定振り分け動作の周期に対する特定時間の割合の逆数である１０個とした例を示したが、その逆数の自然数倍、例えば２０，３０，４０個等としてもよい。この場合、特定通路３８側への振り分けに対応する小当たり変動パターンの数は常に２以上の一定数となる。
【００６９】
停留手段３７、振り分け可動手段４０等の構成は任意であり、実施形態で示した以外の種々の構成を採用できる。
【００７０】
停留手段３７を省略し、開閉式入賞口３５に入賞した遊技球が、その入賞から略一定時間後に振り分け可動手段４０により振り分けられるように構成してもよい。但しこの場合には、特別図柄始動手段１７が遊技球を検出するタイミングに応じた特定領域振分率の変化はないものの、開閉式入賞口３５への入賞タイミングによってその遊技球が特定領域と通常領域との何れに振り分けられるかが変化する場合があるため、技術介入を完全には排除できない可能性がある。
【００７１】
また、本発明はパチンコ機に限らず、アレンジボール機、雀球遊技機等の各種の弾球遊技機においても同様に実施することが可能である。
【符号の説明】
【００７２】
１７  特別図柄始動手段（始動手段）
２５  特別図柄表示手段（遊技図柄表示手段）
３５  開閉式入賞口（開閉式入球口）
３７  停留手段
３８  特定通路（特定領域）
４０  振り分け可動手段
８７  大当たり状態発生手段（利益状態発生手段）
【図１】
2010167138.tif 000003
【図２】
2010167138.tif 000004
【図３】
2010167138.tif 000005
【図４】
2010167138.tif 000006
【図５】
2010167138.tif 000007
【図６】
2010167138.tif 000008
【図７】
2010167138.tif 000009
【図８】
2010167138.tif 000010
【図９】
2010167138.tif 000011
【図１０】
2010167138.tif 000012
【図１１】
2010167138.tif 000013
【図１２】
2010167138.tif 000014